(57)【特許請求の範囲】
【請求項１】
衣類等の皺を伸ばすための下面のかけ面および内部に前記かけ面を加熱するヒータを有するアイロン本体と、該アイロン本体が載置され前記ヒータに通電するとともに前記アイロン本体の載置角度を調節可能な給電台とを備えるコードレスアイロンであって、
前記アイロン本体の載置面を前記載置角度に調節する係止部が曲面を有して形成されるとともに前記給電台に回動自在に支持され、前記給電台の設置面に当接して載置面の角度を前記載置角度に調節する角度調節部材を具え、
前記給電台は、その下面板に、前記角度調節部材の係止部が係止される被係止部が曲面を有して形成され、
前記角度調節部材の係止部は、前記下面板の一部が弾性変形することにより、前記給電台の被係止部に係止される
ことを特徴とするコードレスアイロン。
【請求項２】
前記角度調節部材が前記給電台内に収容されるとともに該給電台の下面が前記設置面に接触され、前記アイロン本体の載置面を一つの載置角度に調節する
ことを特徴とする請求項１に記載のコードレスアイロン。
【請求項３】
前記角度調節部材における係止部と前記給電台における被係止部とは、何れか一方が前記載置角度に対応した切り欠き部であり、他方が前記切り欠き部に係止する突起部である
ことを特徴とする請求項１または請求項２に記載のコードレスアイロン。
【請求項４】
前記角度調節部材における係止部は、切り欠き部であり、
前記給電台における被係止部は、突起部であり、
前記角度調節部材の切り欠き部は、前記角度調節部材が前記給電台内に収容される場合に前記給電台の突起部に係止して、前記アイロン本体の載置面を第１の前記載置角度に調節する第１切り欠き部と、前記角度調節部材が前記給電台の設置面に当接する場合に前記給電台の突起部に係止して、前記アイロン本体の載置面を第２の前記載置角度に調節する第２切り欠き部である
ことを特徴とする請求項３に記載のコードレスアイロン。
【請求項５】
前記角度調節部材の係止部は、前記アイロン本体を各載置角度に調節した場合に前記給電台に対して同一位置に回動するように設けられ、
前記給電台における被係止部は、前記同一位置に回動した前記係止部に係止する位置に設けられる
ことを特徴とする請求項１から請求項４のうちの何れか一項に記載のコードレスアイロン。
【発明の詳細な説明】
【技術分野】
【０００１】
本発明は、アイロン本体を給電台に載置して給電を行うコードレスアイロンに関する。
【背景技術】
【０００２】
図１１は、従来の特許文献１のコードレスアイロン１００を右側方から見た一部切り欠き側面図である。
図１１に示すように、コードレスアイロン１００は、下面に衣類等のシワを伸ばすためのかけ面１０１を有するアイロン本体１００Ａと、該アイロン本体１００Ａを載置して給電する給電台１００Ｂとから成っている。
アイロン本体１００Ａは、下面にかけ面１０１を有するとともにヒータ(図示せず)が埋設されるベース１０２と、該ベース１０２が取着される本体ケース１０３と、該本体ケース１０３の上部に形成されアイロンがけ時および持ち運び時に使用者によって把持されるハンドル１０４とを有している。
【０００３】
アイロン本体１００Ａの本体ケース１０３の下後縁部には、受電部１０５が凹状の空間に形成され、受電部後面１０５ｕからは、ヒータに電気的接続される一対の接続端子１０６、１０６が後方に向けて突設されている。
一方、給電台１００Ｂは、その後方内部にアイロン本体１００Ａの接続端子１０６、１０６が接触して給電を行うための一対の電極１０７、１０７が配設され、電極１０７、１０７に電気的に接続される電源コードＣが給電台１００Ｂ外方の家庭用電源のコネクタに接続できるように延設されている。
【０００４】
アイロン本体１００Ａの下後縁部の接続端子１０６、１０６を、給電台１００Ｂの後方内部の接続端子１０６、１０６に接触させて給電を行いアイロン本体１００Ａの重力を利用して両者の接触状態を密接にすることを目的に、アイロン本体１００Ａを載置する給電台１００Ｂの上面は、後部側が下方に傾斜して形成され、給電台１００Ｂの上面には、回動してアイロン本体１００Ａを所定の給電位置に導くためのローラ１０８が複数、回転自在に配設されている。
アイロンがけに際して、使用者は、まず、給電台１００Ｂの電源コードＣを電源、例えば家庭用電源に接続する。
【０００５】
そして、アイロン本体１００Ａを給電台１００Ｂの上のローラ１０８に載せると、アイロン本体１００Ａの重量によりローラ１０８が自転して、アイロン本体１００Ａが後部側から給電台１００Ｂの後部側に移動し、図１１に示すように、アイロン本体１００Ａの接続端子１０６、１０６が給電台１００Ｂの電極１０７、１０７に接触した状態で、アイロン本体１００Ａが給電台１００Ｂに載置される。
そして、アイロン本体１００Ａが給電台１００Ｂを介して給電され、アイロン本体１００Ａ内のヒータに通電され、かけ面１０１を有するベース１０２の加熱が行われる。
【０００６】
図１２は、従来の特許文献２のコードレスアイロン２００を右側方から見た斜視図である。
コードレスアイロン２００は、前記コードレスアイロン１００と同様に、下面に衣類等のシワを伸ばすためのかけ面２０１を有するアイロン本体２００Ａと、該アイロン本体２００Ａを載置して給電する給電台２００Ｂとから成っている。
コードレスアイロン２００は、給電台２００Ｂの上面に、給電用の電極を有しており、図１２に示すように、アイロン本体２００Ａを、その接続端子を下側にして直角に給電台２００Ｂ上に載置し、給電を行う構成である。
【特許文献１】特許第２６０５４０５号公報(第１図等)
【特許文献２】特開昭６３−４９１９９号公報(第１図等)
【発明の開示】
【発明が解決しようとする課題】
【０００７】
ところで、上述の特許文献１に記載された図１１に示す給電台１００Ｂ上に載置されたアイロン本体１００Ａは、ほぼ２０度の角度に載置されている。一方、特許文献２に記載された図１２に示す給電台２００Ｂ上に載置されたアイロン本体２００Ａは、９０度の角度に載置されている。
そこで、発明者等は、コードレスアイロンを用いたアイロンがけにおいて、如何なる角度が疲れず行い易いかの調査を行った。
２０度、２５度、３０度の給電台を作成し、これら３つの角度と台なしで本体を立てる（９０度）の４種類について比較を行った。
【０００８】
作業内容は、「アイロンを台からとり、布上を１往復させて、給電台にセットする」を１０秒間に３〜４回連続で繰り返す作業とした。
この作業を行う高さ条件は、
ａ．床の高さで床に座って、ｂ．３０ｃｍ高の台で床に座って、ｃ．６０ｃｍ高の台で椅子に座って、ｄ．７０ｃｍ高の台で立って
の４条件とした。（以下、それぞれ「床座」、「３０ｃｍ座」、「６０ｃｍ椅子」、「７０ｃｍ立」と記す）
被験者は、普段コードレスアイロンを使用している約１０名の女性である。
調査は、上記作業条件において、１．被験者の腕の主たる筋肉の筋電図の測定、２．被験者のアイロンの使い易さ等のアイロン作業の主観評価の２つを取りまとめた。なお、主観評価は、「台からとりやすさ」「台へ置きやすさ」について、「１：悪い、２：やや悪い、３：どちらともいえない、４：やや良い、５：良い」の５段階で評価した。
【０００９】
１．被験者の腕の主たる筋肉の筋電図の測定
図１３（ａ）は、上記作業において筋電図を測定した腕の筋肉の測定部位であり、図１３（ｂ）は、図１３（ａ）で表した各筋の名称と働きを図示している。
筋電図の測定値は，個人差が大きく直接値の比較はできないため，各被験者／測定部位ごとに，６０ｃｍ椅子での角度２０度での値を１００％とする相対値に換算したものを用いた。以下、測定結果を台の角度条件を主に記載する。
【００１０】
イ．肩（三角筋）（図１３参照）の筋電図
肩の負担は高さ条件による違いは、「床座」「３０ｃｍ座」の場合が若干高め，「６０ｃｍ椅子」の場合が若干低めであったが、台の角度条件による違いは殆どみられなかった。
ロ．上腕内側（上腕二頭筋）（図１３参照）の筋電図
上腕内側の負担は高さ条件の違いによる差が大きく、特に「３０ｃｍ座」は、給電台が布面より３０ｃｍ低い位置となるため、アイロンを持ち上げる力を要し、負担が大きかった。台の角度条件による違いとしては，「３０ｃｍ座」で２５度と３０度が、「床座」「７０ｃｍ立」で２０度の負担が少ない傾向がみられた。
【００１１】
ハ．上腕外側（上腕三頭筋）（図１３参照）の筋電図
今回の実験では上腕外側の筋力（腕を伸ばす力）は，アイロンを左から右に動かす（布面を滑らす）動作でのみ使われ，アイロンをとる／アイロンを置く動作では殆ど使われていなかった。台の角度条件による違いとしては，９０度がやや負担が大きめであった。
ニ．前腕外側（長とう側手根伸筋）の筋電図
前腕外側の筋力（手首を反らす）は，台の角度９０度の負担が大きく，これはアイロンを置く際に手首を反らしが大きいためである。
【００１２】
２．主観評価
「床座」を除き２５度の評価が高めで，特に「７０ｃｍ立」で２５度の評価が高かった。「床座」の場合には２０度の評価が高めであった。いずれの高さ条件でも９０度は評価が低く，特にアイロンを床に立てる「床座」「３０ｃｍ座」の置きやすさは評価が低かった。
【００１３】
３．結果のまとめ
（１）全体の平均でみた場合，「床座」を除いた高さ条件では，筋負担，主観評価とも２５度が優れ，特に７０ｃｍ立」で優れた。
（２）「床座」では，アイロンを左右方向に動かす者は２０度，縦方向に動かす者は３０度が良い結果となり、どちらの者も２５度はやや良い〜どちらともいえないの評価であった。
（３）「３０ｃｍ座」「６０ｃｍ椅子」では２０度、３０度を５：良いとする者がいる一方、やや悪いとする者がおり評価が分かれた。
【００１４】
４．結論
上記１から３の内容から、次の結論を得た。
給電台の角度が１種類の場合、２５度で設計することが望ましいが、ユーザがアイロンを動かす方向、作業高さの条件により、２０度や３０度の方が２５度より使いやすくなるため、ユーザが自分の使い方にあわせて給電台の角度を変更できることが最も望ましいと考えられる。
本発明は、上記実状に鑑み、給電台の角度が変更可能であり、使い勝手の良好なコードレスアイロンの提供を目的とする。
【課題を解決するための手段】
【００１５】
上記目的を達成するべく、本発明の請求項１に関わるコードレスアイロンは、衣類等の皺を伸ばすための下面のかけ面および内部にかけ面を加熱するヒータを有するアイロン本体と、該アイロン本体が載置されヒータに通電するとともにアイロン本体の載置角度を調節可能な給電台とを備えるコードレスアイロンであって、アイロン本体の載置面を載置角度に調節する係止部が曲面を有して形成されるとともに給電台に回動自在に支持され、給電台の設置面に当接して載置面の角度を載置角度に調節する角度調節部材を具え、給電台は、その下面板に、角度調節部材の係止部が係止される被係止部が曲面を有して形成され、角度調節部材の係止部は、下面板の一部が弾性変形することにより、給電台の被係止部に係止されている。
【００１６】
本発明の請求項２に関わるコードレスアイロンは、請求項１に記載のコードレスアイロンにおいて、角度調節部材が給電台内に収容されるとともに給電台の下面が設置面に接触され、アイロン本体の載置面を一つの載置角度に調節している。
【００１７】
本発明の請求項３に関わるコードレスアイロンは、請求項１または請求項２に記載のコードレスアイロンにおいて、角度調節部材における係止部と給電台における被係止部とは、何れか一方が載置角度に対応した切り欠き部であり、他方が切り欠き部に係止する突起部である。
【００１８】
本発明の請求項４に関わるコードレスアイロンは、請求項３に記載のコードレスアイロンにおいて、角度調節部材における係止部は切り欠き部であり、給電台における被係止部は突起部であり、角度調節部材の切り欠き部は、角度調節部材が給電台内に収容される場合に給電台の突起部に係止して、アイロン本体の載置面を第１の載置角度に調節する第１切り欠き部と、角度調節部材が給電台の設置面に当接する場合に給電台の突起部に係止して、アイロン本体の載置面を第２の前記載置角度に調節する第２切り欠き部である。
【００１９】
本発明の請求項５に関わるコードレスアイロンは、請求項１から請求項４のうちの何れか一項に記載のコードレスアイロンにおいて、角度調節部材の係止部は、アイロン本体を各載置角度に調節した場合に給電台に対して同一位置に回動するように設けられ、給電台における被係止部は、同一位置に回動した係止部に係止する位置に設けられている。
【発明の効果】
【００２０】
本発明によれば、給電台の角度が選択可能であり、使い勝手の良好なコードレスアイロンを実現できる。
【発明を実施するための最良の形態】
【００２１】
以下、本発明の実施形態について添付図面を参照して説明する。
＜＜コードレスアイロン１の構成＞＞
図１は、本発明を適用した実施形態のコードレスアイロン１を示した図であり、アイロン本体１Ａを、２５度の中角度に調節した給電台１Ｂの上に載置し給電している状態を左側方から見た斜視図である。
図１に示すように、コードレスアイロン１は、下面に衣類等のシワを伸ばすためのかけ面２ａを有するアイロン本体１Ａと、アイロン本体１Ａが載置され給電し加熱するとともに３段階に角度調節可能な給電台１Ｂとを備えている。
【００２２】
ここで、図１は、アイロン本体１Ａを、給電台１Ｂ上に載置する角度、すなわち、アイロン本体１Ａのかけ面２ａの給電台１Ｂの設置面Ｓに対する角度を、２５度の中角度に調節した場合を示している。
給電台１Ｂ上に載置されたアイロン本体１Ａの載置角度は、図１に示す中角度の２５度以外に、図２に示す２０度の低角度、および図３に示す３０度の高角度に切り替え可能に構成されている。
なお、図２は、設置面Ｓに対して２０度の低角度に調節した給電台１Ｂの上にアイロン本体１Ａを載置し給電しているコードレスアイロン１を左側方から見た斜視図であり、また、図３は、設置面Ｓに対して３０度の高角度に調節した給電台１Ｂの上にアイロン本体１Ａを載置し給電しているコードレスアイロン１を左側方から見た斜視図である。
【００２３】
ここで、図２に示すように、給電台１Ｂの下面を直接、設置面Ｓに接触させて給電台１Ｂを設置面Ｓ上に置いて、この給電台１Ｂ上にアイロン本体１Ａを載置した場合、アイロン本体１Ａの載置角度、すなわち設置面Ｓとアイロン本体１Ａのかけ面２ａのなす角度が、アイロン載置部７の後方側を低い形状に形成していること、およびガイドローラ９があることにより、２０度になるように設定されている。
そして、図１に示すように、中角度調節部材１２を給電台１Ｂ内から出して設置面Ｓに当接させて、給電台１Ｂを設置面Ｓ上に置き、この給電台１Ｂ上にアイロン本体１Ａを載置した場合、アイロン本体１Ａの載置角度、すなわち設置面Ｓとアイロン本体１Ａのかけ面２ａのなす角度が２５度になるように設定されている。
【００２４】
また、図３に示すように、高角度調節部材１３を給電台１Ｂ内から出して設置面Ｓに当接させて、給電台１Ｂを設置面Ｓ上に置き、この給電台１Ｂ上にアイロン本体１Ａを載置した場合、アイロン本体１Ａの載置角度、すなわち設置面Ｓとアイロン本体１Ａのかけ面２ａのなす角度が３０度になるように設定されている。
このように、図１に示すように、中角度調節部材１２を用いることにより、アイロン本体１Ａの載置角度を、用いない場合(図２参照)の載置角度、２０度に比べ、５度大きく傾斜させ２５度にすることができる。
また、図３に示すように、高角度調節部材１３を用いることにより、アイロン本体１Ａの載置角度を、用いない場合(図２参照)の載置角度、２０度に比べ、１０度大きく傾斜させ３０度にすることができる。
【００２５】
図１に示すように、アイロン本体１Ａは、下面のかけ面２ａを加熱するためのシーズヒータ(図示せず)が埋設されるベース２と、該ベース２が取着され外形状を形成する本体ケース３と、該本体ケース３の上部に形成されアイロンがけおよびアイロンの持ち運びに際し使用者に把持されるハンドル４と、該ハンドル４下方にその前方から左右両側方に跨いだ態様で後方にかけて形成される水タンク５とを有している。
この水タンク５は、アイロンがけに際して衣類に補給するスチームの供給源の水を貯留する箇所５ａが透明な樹脂で形成されるとともに、その他の箇所５ｂが不透明な耐熱性のＰＣ(ホ゜リカーホ゛ネイト)を用いて形成されている。この水タンク５の上面には、スチーム噴き出しの際に押下されるスチーム釦Ｓbが配設されている。
なお、水タンク５は、ハンドル４近傍に配設されるタンク取外しボタン３ａを押下することにより、本体ケース３から取り外され、スチーム用の水の注入、洗浄等が行われる。
【００２６】
このタンク取外しボタン３ａが近くに配設されるハンドル４は、その上面に、液晶表示部(図示せず)と、該液晶表示部を視認しながらアイロンのかけ面２ａの温度を、切、低、中、高のスタンバイ・モードおよび各レベルの温度に切り替え操作を行うための操作釦(図示せず)とが配設されている。
ハンドル４が上部に形成される本体ケース３は、ＰＢＴ(ポリブチレンテレフタレート)等の耐熱性樹脂で形成され、本体ケース３の下方後部には略直方体状の空間を成す凹状の受電部(図示せず)が形成されている。この受電部の後面には、後方に向けてアイロン本体１Ａを加熱する際に給電に使用される一対の導電性の接続端子(図示せず)が突設されている。
【００２７】
前記ベース２は、本体がアルミダイキャストで成型され、該本体上部にニクロム線を酸化マグネシウム、鋼管で覆ったシーズヒータが埋め込まれるとともに、その下面のかけ面２ａは衣類等との滑りを良くするためにチタン含有のフッ素加工が施されている。
なお、ベース２のかけ面２ａは、フッ素加工を施すことなく、板厚の薄い、例えば０．５ｍｍ厚の熱容量の大きいステンレス鋼板をベース２本体に塑性変形させ取り付けて構成してもよい。
【００２８】
＜＜給電台１Ｂの構成＞＞
前記構成のアイロン本体１Ａを載置し給電する給電台１Ｂは、図１に示すように、下部の置き台６と該置き台６に接合される上部のアイロン載置部７とを有し構成されている。
図４は、給電台１Ｂを左上方から見た斜視図である。
図４に示すように、給電台１Ｂ上部のアイロン載置部７は、加熱されたアイロン本体１Ａが載置されることから、例えば耐熱性のＰＣ(ポリカーボネイト)を用いて形成されており、アイロン載置部７の上面板７ａは、アイロン本体１Ａの下向きの重力を利用して、アイロン本体１Ａの下後縁部の接続端子を給電台１Ｂのコネクタ孔８ａ、８ａに挿入し給電できるように、後方側が低い形状に形成されている。
【００２９】
また、アイロン載置部７の中央やや前方に、短円柱状の一対のガイドローラ９、９が、回動自在に軸支されており、アイロン本体１Ａを給電台１Ｂ上に載置するに際して、アイロン本体１Ａのかけ面２ａが、この一対のガイドローラ９、９上に載せられ、ガイドローラ９、９が回動することにより摩擦力をもって該かけ面２ａを移動させ、アイロン本体１Ａを給電するための給電台１Ｂ上の所定の載置位置へ案内している。
また、アイロン載置部７における一対のガイドローラ９、９のやや後方の上面板７ａには、一対の細幅の載置用リブｒ、ｒが、給電台１Ｂの長手方向の中心線に対してほぼ線対称に形成され、この一対の載置用リブｒ、ｒは、後方側が下降して形成された上面板７ａから後方に行くに従い次第に上方に離間する態様で立設されている。
【００３０】
この載置用リブｒ、ｒは、アイロン本体１Ａが給電台１Ｂ上に載置されるに際して、アイロン本体１Ａのかけ面２ａを摺動させ、給電するための載置位置へ案内する。
載置用リブｒ、ｒの後部側(図４中の左側)には、載置用リブｒ、ｒに挟まれた態様で、給電部８が前方に突出した形状に形成されている。
この給電部８は、アイロン本体１Ａ下後縁部の接続端子が挿入されるコネクタ孔８ａ、８ａが穿設されており、アイロン本体１Ａの給電時、アイロン本体１Ａの下方後部の凹状の受電部内に収納される。
このコネクタ孔８ａ、８ａ内には、電源に電源コードＣを介して電気的に接続され、アイロン本体１Ａを給電するための電極(図示せず)が設けられている。
アイロン本体１Ａを給電するに際しては、電源コードＣを電源に接続し、アイロン本体１Ａの接続端子を給電部８のコネクタ孔８ａ、８ａに挿入して、電極に接触させ給電し、ベース３内のシーズヒータに通電し、アイロン本体１Ａのベース２の加熱が行われる。
【００３１】
給電台１Ｂ下部の置き台６は、例えば、ＰＰ(ポリプロピレン)を用いて形成され、アイロン本体１Ａに給電するために電極に接続される電源コードＣが設けられている。
図５は、図４に示す中角度の２５度に調節した給電台１Ｂを、裏返した状態を示す斜視図である。
図４、図５に示すように、給電台１Ｂの置き台６は、上面板７ａを有する上部外ケ−ス１０と下部外ケ−ス１１とで筐体が形成されている。
この給電台１Ｂの下部外ケ−ス１１は、ＰＰ(ポリプロピレン)等を用いて樹脂成型され、図５に示すように、その下面１１ａ側には、給電台１Ｂの載置面の角度を２５度に調節する中角度調節部材１２、および、図７に示すように、給電台１Ｂの載置面の角度を３０度に調節する高角度調節部材１３が、図５〜図７に示すように、回動自在に軸支されている。
【００３２】
なお、図６は、中角度調節部材１２および高角度調節部材１３を、給電台１Ｂの下部外ケ−ス１１内に収容した状態を給電台１Ｂの下面側から見た斜視図である。
また、図７は、アイロン本体１Ａの設置面に対する載置角度が高角度の３０度に高角度調節部材１３で調節した場合の給電台１Ｂを下面側から見た斜視図である。
図６に示すように、給電台１Ｂの下部外ケ−ス１１の下面１１ａには、中角度調節部材１２、高角度調節部材１３を組み付け時に取り外すとともに、中角度調節部材１２、高角度調節部材１３を組み付け後に取り付ける、取り付け取り外し自在な組付け板１１a0が取着されている。
【００３３】
この組付け板１１a0を含む下部外ケ−ス１１の下面１１ａには、中角度調節部材１２および高角度調節部材１３を収容するための収容凹部１４が形成されている。
そして、この収容凹部１４に連続して、図６に示す中角度調節部材１２を収容凹部１４内に収容した状態から、給電台１Ｂを図１、図５に示す２５度の中角度に調節するために、収容凹部１４内の中角度調節部材１２を、手を入れて取り出すための凹状空間の第１取り出し部１１t1が、組付け板１１a0に形成されている。
同様に、収容凹部１４に連続して、図６に示す高角度調節部材１３を収容凹部１４内に収容した状態から、給電台１Ｂを、図３、図７に示す３０度の高角度に調節するため、収容凹部１４内の高角度調節部材１３を、手を入れて取り出すための凹状空間の第２取り出し部１１t2が、組付け板１１a0に形成されている。
【００３４】
＜＜中角度調節部材１２の給電台１Ｂへの取り付け＞＞
図８は、図５のＡ−Ａ線断面図であり、図１に示す給電台１Ｂを２５度の中角度に中角度調節部材１２で調節した場合の中角度調節部材１２と給電台１Ｂとの関係を示した図である。
図９は、図６のＢ−Ｂ線断面図であり、図２に示すように、給電台１Ｂを２０度の低角度に調節するため、中角度調節部材１２および高角度調節部材１３を給電台１Ｂの収容凹部１４内に収容した状態を示した図である。
図１０(ａ)は、中角度調節部材１２の斜視図であり、図１０(ｂ)は、高角度調節部材１３の斜視図である。
【００３５】
図１０(ａ)に示すように、中角度調節部材１２は、ＰＰ(ポリプロピレン)等を用いて樹脂成型され、図１に示す給電台１Ｂを２５度の中角度に調節した場合に設置面Ｓに当接する当接部１２ａと、給電台１Ｂの下部外ケ−ス１１に回転自在に軸支される支持部１２ｂ、１２ｃとを有している。
中角度調節部材１２の支持部１２ｂの軸支持箇所には、支持部１２ｂ内面から内方に突出して支軸となる支持ボス１２ｂ1が形成されている。
同様に、図１０(ａ)に示すように、中角度調節部材１２の支持部１２ｃの軸支持箇所には、支持部１２ｃ内面から内方に突出して支軸となる支持ボス１２ｃ1が形成されている。
これに対して、図５に示すように、中角度調節部材１２の給電台１Ｂへの組み付け時、支持部１２ｂの支持ボス１２ｂ1に対応する位置の給電台１Ｂの下部外ケ−ス１１の内壁面１１ｂに、支持部１２ｂの支持ボス１２ｂ1が嵌入し回動自在に支持される支持軸孔(図示せず)が穿設されている。
【００３６】
同様に、図５に示すように、支持部１２ｃの支持ボス１２ｃ1に対応する位置の給電台１Ｂの下部外ケ−ス１１の内壁面１１ｃに、支持部１２ｃの支持ボス１２ｃ1が嵌入し回動自在に支持される支持軸孔(図示せず)が穿設されている。
中角度調節部材１２を給電台１Ｂに組み付けるに際しては、まず、図６に示す給電台１Ｂから、組付け板１１a0の取付部(図示せず)を弾性変形させて、組付け板１１a0を給電台１Ｂの下部外ケ−ス１１の下面１１ａから取り外すとともに、後記するように、高角度調節部材１３を組み付ける。
【００３７】
そして、給電台１Ｂにおける支持軸孔がそれぞれ穿設された下部外ケ−ス１１の内壁面１１ｂ、１１ｃを内方に弾性変形させるとともに、中角度調節部材１２の支持部１２ｂ、１２ｃ(図１０(ａ)参照)を外方に弾性変形させて、中角度調節部材１２の支持部１２ｂ、１２ｃの支持ボス１２ｂ1、１２ｃ1を、それぞれ対応する下部外ケ−ス１１の内壁面１１ｂ、１１ｃの支持軸孔に嵌入し、中角度調節部材１２を給電台１Ｂに回動自在に軸支持する。
続いて、組付け板１１a0の取付部を弾性変形させて、組付け板１１a0を給電台１Ｂの下部外ケ−ス１１の下面１１ａに取り付ける。
【００３８】
＜＜中角度調節部材１２の給電台１Ｂに対する位置決め＞＞
図１０(ａ)に示すように、中角度調節部材１２の支持部１２ｂの支持ボス１２ｂ1が設けられる外周部は、根元外周面１２ｂ0が曲率を有した形状に形成されており、この根元外周面１２ｂ0には、凹状の低角度用切り欠き部１２ｂ2および中角度用切り欠き部１２ｂ3が形成されている。
【００３９】
また、中角度調節部材１２の支持部１２ｃの支持ボス１２ｃ1が設けられる外周部は、根元外周面１２ｃ0が曲率を有した形状に形成されており、この根元外周面１２ｃ0には、凹状の低角度用切り欠き部１２ｃ2および中角度用切り欠き部１２ｃ3が形成されている。
一方、図８、図９に示すように、給電台１Ｂの下部外ケ−ス１１の収容凹部１４内の下部外ケ−ス１１の壁面には、中角度調節部材１２の支持部１２ｂの低角度用切り欠き部１２ｂ2および中角度用切り欠き部１２ｂ3がそれぞれ係止して中角度調節部材１２を、２０度の低角度および２５度の高角度に位置決めするための位置決め突起１１ｔ1が、外方に突出するとともに給電台１Ｂ幅方向(図８、図９の紙面に垂直方向)に延在して配設されている。
【００４０】
同様に、給電台１Ｂの下部外ケ−ス１１の収容凹部１４内の下部外ケ−ス１１の壁面には、中角度調節部材１２の支持部１２ｃの低角度用切り欠き部１２ｃ2および中角度用切り欠き部１２ｃ3がそれぞれ係止して中角度調節部材１２を、２０度の低角度および２５度の高角度に位置決めするための位置決め突起が、前記位置決め突起１１ｔ1と同様に外方に突出するとともに給電台１Ｂ幅方向(図８、図９の紙面に垂直方向)に延在して配設されている。
【００４１】
そして、図８に示すように、中角度調節部材１２の支持部１２ｂの中角度用切り欠き部１２ｂ3が給電台１Ｂの収容凹部１４内の位置決め突起１１ｔ1に係止されるとともに、図８と同様に、中角度調節部材１２の支持部１２ｃの中角度用切り欠き部１２ｃ3が給電台１Ｂの収容凹部１４内の位置決め突起に係止され、図８に示すように、中角度調節部材１２を下部下ケース１１の壁面１１ｈ2に当接させることにより、図１に示すように、アイロン本体１Ａが、給電台１Ｂの設置面Ｓに対して２５度の中角度に調節される。
【００４２】
一方、図９に示すように、中角度調節部材１２の支持部１２ｂの低角度用切り欠き部１２ｂ2が給電台１Ｂの収容凹部１４内の位置決め突起１１ｔ1に係止されるとともに、中角度調節部材１２の支持部１２ｃの低角度用切り欠き部１２ｃ2が給電台１Ｂの収容凹部１４内の位置決め突起に係止され、中角度調節部材１２を下部下ケース１１の壁面１１ｈ1に当接させることにより、中角度調節部材１２が、図６に示すように、給電台１Ｂの収容凹部１４内に収容され、図２に示すように、アイロン本体１Ａが、給電台１Ｂの設置面Ｓに対して２０度の低角度に調節される。
【００４３】
＜＜高角度調節部材１３の給電台１Ｂへの取り付け＞＞
図１０(ｂ)に示すように、高角度調節部材１３は、中角度調節部材１２と略同様な構成であり、図３に示す給電台１Ｂを３０度の高角度に調節した場合に設置面Ｓに当接する当接部１３ａと、給電台１Ｂの置き台６の下部外ケ−ス１１に回動自在に軸支される支持部１３ｂ、１３ｃとを有している。
図６、図１０に示すように、高角度調節部材１３の当接部１３ａおよび支持部１３ｂ、１３ｃは、それぞれ長手方向に中角度調節部材１２の当接部１２ａおよび支持部１２ｂ、１２ｃより長い寸法に形成されている。
【００４４】
図１０(ｂ)に示すように、高角度調節部材１３の支持部１３ｂの軸支持箇所には、支持部１３ｂ外面から外方に突出して支軸となる支持ボス１３ｂ1が形成されている。同様に、図１０(ｂ)に示すように、高角度調節部材１３の支持部１３ｃの軸支持箇所には、支持部１３ｃ外面から外方に突出して支軸となる支持ボス１３ｃ1が形成されている。
これに対して、図７に示すように、高角度調節部材１３の給電台１Ｂへの組み付け時、支持部１３ｂの支持ボス１３ｂ1に対応する位置の給電台１Ｂの下部外ケ−ス１１の外壁面１１ｅには、支持部１３ｂの支持ボス１３ｂ1が嵌入し回動自在に支持される支持軸孔(図示せず)が穿設されている。
【００４５】
同様に、図７に示すように、高角度調節部材１３の給電台１Ｂへの組み付け時、支持部１３ｃの支持ボス１３ｃ1に対応する位置の給電台１Ｂの下部外ケ−ス１１の外壁面１１ｆに、支持部１３ｃの支持ボス１３ｃ1が嵌入し回動自在に支持される支持軸孔(図示せず)が穿設されている。
高角度調節部材１３を給電台１Ｂに組み付けるに際しては、まず、中角度調節部材１２が給電台１Ｂに組み付けられていない状態において、図７に示す組付け板１１a0を、取付部(図示せず)を弾性変形させて、給電台１Ｂの下部外ケ−ス１１の下面１１ａから取り外す。
【００４６】
そして、図７に示すように、給電台１Ｂにおける支持軸孔がそれぞれ穿設された下部外ケ−ス１１の外壁面１１ｅ、１１ｆを外方に弾性変形させるとともに、高角度調節部材１３の支持部１３ｂ、１３ｃを内方に弾性変形させて、中角度調節部材１３の支持部１３ｂ、１３ｃの支持ボス１３ｂ1、１３ｃ1を、それぞれ対応する下部外ケ−ス１１の外壁面１１ｅ、１１ｆの支持軸孔に嵌入し、高角度調節部材１３を給電台１Ｂに回動自在に支持する。
その後、前記したように、給電台１Ｂに、中角度調節部材１２、組付け板１１a0の順に取り付ける。
【００４７】
＜＜高角度調節部材１３の給電台１Ｂに対する位置決め＞＞
また、高角度調節部材１３の位置決めも、中角度調節部材１２と同様に載置角度に応じて、前記給電台１Ｂの収容凹部１４内の下部外ケ−ス１１の壁面に形成される位置決め突起１１ｔ1および位置決め突起(図示せず)が用いられる。
図１０(ｂ)に示すように、高角度調節部材１３における支持部１３ｂの軸支持部の曲率を有して形成される根元外周面１３ｂ0には、低角度用切り欠き部１３ｂ2および高角度用切り欠き部１３ｂ3が形成されており、また、高角度調節部材１３における支持部１３ｃの曲率を有して形成される根元外周面１３ｃ0には、低角度用切り欠き部１３ｃ2および高角度用切り欠き部１３ｃ3が形成されている。
【００４８】
これに対して、図８、図９に示す中角度調節部材１２の場合と同様に、給電台１Ｂの下部外ケ−ス１１の収容凹部１４内に、高角度調節部材１３の支持部１３ｂの低角度用切り欠き部１３ｂ2および高角度用切り欠き部１３ｂ3が、それぞれ係止され高角度調節部材１３が位置決めされる位置決め突起１１ｔ1が、外方に突出するとともに給電台１Ｂ幅方向(図８、図９の紙面に垂直方向)に延在して配設されている。
同様に、給電台１Ｂの下部外ケ−ス１１の収容凹部１４内に、高角度調節部材１３の支持部１３ｃの低角度用切り欠き部１３ｃ2および高角度用切り欠き部１３ｃ3が、それぞれ係止して高角度調節部材１３が位置決めされる位置決め突起が、外方に突出するとともに給電台１Ｂ幅方向(図８、図９の紙面に垂直方向)に延在して配設されている。
【００４９】
なお、高角度調節部材１３の支持部１３ｃの低角度用切り欠き部１３ｃ2および高角度用切り欠き部１３ｃ3が、それぞれ係止して高角度調節部材１３が位置決めされる位置決め突起は、前記の中角度調節部材１２の低角度用切り欠き部１２ｃ2および中角度用切り欠き部１２ｃ3がそれぞれ係止される位置決め突起が、給電台１Ｂ幅方向(図８、図９の紙面に垂直方向)に延在したものであり、同一の位置決め突起である。  
そして、図８と同様に、高角度調節部材１３の支持部１３ｂの高角度用切り欠き部１３ｂ3が給電台１Ｂの収容凹部１４内の位置決め突起１１ｔ1に係止されるとともに、高角度調節部材１３の支持部１３の支持部１３ｃの高角度用切り欠き部１３ｃ3が給電台１Ｂの収容凹部１４内の位置決め突起に係止され、図３に示すように、アイロン本体１Ａが、給電台１Ｂの設置面Ｓに対して３０度の高角度に調節される。
【００５０】
一方、図９と同様に、高角度調節部材１３の支持部１３ｂの低角度用切り欠き部１３ｂ2が給電台１Ｂの収容凹部１４内の位置決め突起１１ｔ1に係止されるとともに、高角度調節部材１３の支持部１３ｃの低角度用切り欠き部１３ｃ2が給電台１Ｂの収容凹部１４内の位置決め突起に係止され、高角度調節部材１３が、図６に示すように、給電台１Ｂの収容凹部１４内に収容され、図２に示すように、アイロン本体１Ａが、給電台１Ｂの設置面Ｓに対して２０度の低角度に調節される。
なお、本実施例においては、位置決め突起１１ｔ1を、中角度調節部材１２、高角度調節部材１３に共通に用いる場合を説明したが、中角度調節部材１２、高角度調節部材１３とで、それぞれ位置決め突起を別に設けてもよい。
【００５１】
また、高角度調節部材１３の低角度用切り欠き部１３ｃ2および高角度用切り欠き部１３ｂ3が係止される位置決め突起と、中角度調節部材１２の低角度用切り欠き部１２ｃ2および中角度用切り欠き部１２ｂ3が係止される位置決め突起とを、中角度調節部材１２、高角度調節部材１３に共通に用いる場合を説明したが、中角度調節部材１２、高角度調節部材１３とで、それぞれ位置決め突起を別に設けてもよい。
【００５２】
＜＜アイロン本体１Ａの載置角度の調節法＞＞
次に、給電台１Ｂに載置するアイロン本体１Ａの載置角度の調節法について説明する。
＜アイロン本体１Ａの載置角度を２０度の低角度に載置する調節法＞
アイロン本体１Ａの載置角度を、図２に示す２０度の低角度に載置する場合には、図５に示すように、給電台１Ｂの収容凹部１４から出ている中角度調節部材１２を、図５の矢印β１のように回動し、図９に示すように、中角度調節部材１２の支持部１２ｂの低角度用切り欠き部１２ｂ2を、給電台１Ｂの収容凹部１４内の位置決め突起１１ｔ1に係止するとともに、中角度調節部材１２の支持部１２ｃの低角度用切り欠き部１２ｃ2を、給電台１Ｂの収容凹部１４内の位置決め突起に係止し、中角度調節部材１２を下部下ケース１１の壁面１１ｈ1(図９参照)に当接させて、中角度調節部材１２を、図６に示すように、給電台１Ｂの収容凹部１４内に収容する。
【００５３】
ここで、中角度調節部材１２の支持部１２ｂの低角度用切り欠き部１２ｂ2が、図９に示すように、給電台１Ｂの収容凹部１４内の位置決め突起１１ｔ1に係止される過程において、支持部１２ｂの低角度用切り欠き部１２ｂ2が、給電台１Ｂの収容凹部１４内の位置決め突起１１ｔ1に入るまでは、支持部１２ｂの根元外周面１２ｂ0によって下部外ケ−ス１１の位置決め突起１１ｔ1が押圧され、位置決め突起１１ｔ1近傍の下部外ケ−ス１１は、図９の二点鎖線で示すように弾性変形する。
同様に、中角度調節部材１２の支持部１２ｃの低角度用切り欠き部１２ｃ2が、給電台１Ｂの収容凹部１４内の位置決め突起に係止される過程において、支持部１２ｃの低角度用切り欠き部１２ｃ2が、図９と同様に、給電台１Ｂの収容凹部１４内の位置決め突起に入るまでは、支持部１２ｃの根元外周面１２ｃ0によって下部外ケ−ス１１の位置決め突起が押圧され、該位置決め突起近傍の下部外ケ−ス１１は、弾性変形する。
【００５４】
この下部外ケ−ス１１の弾性変形による弾性力の発生に起因し、ユーザは中角度調節部材１２の操作において若干の抵抗感を感ずる。
そして、中角度調節部材１２が、さらに、図５の矢印β１のように回動し、下部外ケ−ス１１の位置決め突起１１ｔ1が、図９に示すように、中角度調節部材１２の支持部１２ｂの低角度用切り欠き部１２ｂ2に入り係止する。
すると、中角度調節部材１２の支持部１２ｂの根元外周面１２ｂ0によって位置決め突起１１ｔ1近傍の下部外ケ−ス１１が押圧されなくなるため、図８の実線で示す位置決め突起近傍の下部外ケ−ス１１のように、位置決め突起１１ｔ1近傍の下部外ケ−ス１１の弾性変形は復元し、弾性力は消失する。
【００５５】
同様に、中角度調節部材１２が、図５の矢印β１のように回動し、下部外ケ−ス１１の位置決め突起が、中角度調節部材１２の支持部１２ｃの低角度用切り欠き部１２ｃ2に入り係止すると、中角度調節部材１２の支持部１２ｃの根元外周面１２ｃ0によって位置決め突起近傍の下部外ケ−ス１１が押圧されなくなるため、位置決め突起１１ｔ1近傍の下部外ケ−ス１１の弾性変形は復元し、弾性力は消失する。
そのため、この弾性変形に起因した抵抗感が無くなるため、図６に示すように、中角度調節部材１２を、給電台１Ｂの収容凹部１４内に収容する操作において、ユーザにアシスト力が働いたように感じさせることができる。
【００５６】
また、図７に示すように、給電台１Ｂの収容凹部１４から出ている高角度調節部材１３を、図７の矢印γ１のように回動し、図９と同様に、高角度調節部材１３の支持部１３ｂの低角度用切り欠き部１３ｂ2を、給電台１Ｂの収容凹部１４内の位置決め突起１１ｔ1に係止するとともに、高角度調節部材１３の支持部１３ｃの低角度用切り欠き部１３ｃ2を、給電台１Ｂの収容凹部１４内の位置決め突起に係止し、中角度調節部材１２を下部下ケース１１の壁面１１ｈ1(図９参照)に当接させて、高角度調節部材１３を、図６に示すように、給電台１Ｂの収容凹部１４内に収容する。
【００５７】
上述した如く、高角度調節部材１３の支持部１３ｂの低角度用切り欠き部１３ｂ2を、給電台１Ｂの収容凹部１４内の位置決め突起１１ｔ1内に収容し係止する過程において、高角度調節部材１３の支持部１３ｂの根元外周面１３ｂ0によって下部外ケ−ス１１の位置決め突起１１ｔ1が押圧され、位置決め突起１１ｔ1近傍の下部外ケ−ス１１が弾性変形(図９の二点鎖線で示す位置決め突起１１ｔ1近傍の下部外ケ−ス１１)する。
同様に、高角度調節部材１３の支持部１３ｃの低角度用切り欠き部１３ｃ2を、給電台１Ｂの収容凹部１４内の位置決め突起内に収容し係止する過程において、高角度調節部材１３の支持部１３ｃの根元外周面１３ｃ0によって下部外ケ−ス１１の位置決め突起が押圧され、位置決め突起近傍の下部外ケ−ス１１が弾性変形(図９の二点鎖線で示す位置決め突起１１ｔ1近傍の下部外ケ−ス１１と同様)する。
【００５８】
この下部外ケ−ス１１の弾性変形による弾性力の発生に起因して、ユーザは高角度調節部材１３の操作において若干の抵抗感を感ずる。
そして、図９に示すように、高角度調節部材１３の支持部１３ｂの低角度用切り欠き部１３ｂ2を、給電台１Ｂの収容凹部１４内の位置決め突起１１ｔ1内に収容し係止するとともに、高角度調節部材１３の支持部１３ｃの低角度用切り欠き部１３ｃ2を、給電台１Ｂの収容凹部１４内の位置決め突起に内に収容し係止することにより、これらの弾性変形は復元し、弾性力は消失する。
そのため、この弾性変形に起因したユーザに与える抵抗感は失せるため、図６に示すように、高角度調節部材１３を、給電台１Ｂの収容凹部１４内に収容する操作において、ユーザにアシスト力が働いたように感じさせることができる。また、節度感を与えることができる。
【００５９】
こうして、図６に示すように、中角度調節部材１２および高角度調節部材１３を、給電台１Ｂの収容凹部１４内に収容して、図２に示すように、給電台１Ｂの下部外ケ−ス１１の下面１１ａを設置面Ｓに直接、載置して、給電台１Ｂを設置面Ｓに置く。
そして、図２に示すように、アイロン本体１Ａを、設置面Ｓに直接、置かれた給電台１Ｂ上に載置すれば、アイロン本体１Ａは、設置面Ｓに対して、２０度の低角度傾斜した載置角度に載置できる。
【００６０】
＜アイロン本体１Ａの載置角度を２５度の中角度に載置する調節法＞
アイロン本体１Ａの載置角度を、図１に示す２５度の中角度に載置する場合には、図６に示すように、給電台１Ｂの収容凹部１４内に収容された中角度調節部材１２を、ユーザが、第１取り出し部１１t1内に手を入れ、図５の矢印β2のように外方に回動させ、図８に示すように、中角度調節部材１２の支持部１２ｂの中角度用切り欠き部１２ｂ3を、給電台１Ｂの収容凹部１４内の位置決め突起１１ｔ1に係止するとともに、中角度調節部材１２の支持部１２ｃの中角度用切り欠き部１２ｃ3を、給電台１Ｂの収容凹部１４内の位置決め突起に係止し、中角度調節部材１２を下部下ケース１１の壁面１１ｈ2に当接させて、中角度調節部材１２を、図５に示すように、給電台１Ｂに対して位置決めする。
【００６１】
ここで、図５の矢印β2のように、中角度調節部材１２を、給電台１Ｂの収容凹部１４内から取り出し、中角度調節部材１２の中角度用切り欠き部１２ｂ3を、位置決め突起１１ｔ1内に係止する過程において、中角度調節部材１２の支持部１２ｂの根元外周面１２ｂ0によって下部外ケ−ス１１の位置決め突起１１ｔ1が押圧され、図９の二点鎖線のように、位置決め突起１１ｔ1近傍の下部外ケ−ス１１が弾性変形する。同様に、中角度調節部材１２の支持部１２ｃの根元外周面１２ｃ0(図１０(ａ)参照)によって下部外ケ−ス１１の位置決め突起１１ｔ1が押圧され、図９の二点鎖線のように、位置決め突起１１ｔ1近傍の下部外ケ−ス１１が弾性変形する。
【００６２】
この下部外ケ−ス１１の弾性変形による弾性力の発生に起因して、ユーザは中角度調節部材１２の操作において若干の抵抗感を感ずる。
そして、中角度調節部材１２が、さらに図５の矢印β2のように回動し、下部外ケ−ス１１の位置決め突起１１ｔ1が、図８に示すように、中角度調節部材１２の支持部１２ｂの中角度用切り欠き部１２ｂ3に入り係止すると、中角度調節部材１２の支持部１２ｂの根元外周面１２ｂ0によって位置決め突起１１ｔ1近傍の下部外ケ−ス１１が押圧されなくなり、位置決め突起１１ｔ1近傍の下部外ケ−ス１１の弾性変形(図８の二点鎖線に示す位置決め突起１１ｔ1近傍の下部外ケ−ス１１)は復元し、弾性力は消失する。
【００６３】
図８に示すように、中角度調節部材１２の支持部１２ｃの中角度用切り欠き部１２ｃ3内に下部外ケ−ス１１の位置決め突起が入り係止すると、中角度調節部材１２の支持部１２ｃの根元外周面１２ｃ0(図１０(ａ)参照)によって位置決め突起近傍の下部外ケ−ス１１が押圧されなくなり、位置決め突起近傍の下部外ケ−ス１１の弾性変形(図８の二点鎖線に示す位置決め突起１１ｔ1近傍の下部外ケ−ス１１)は復元し、弾性力は消失する。
そのため、ユーザに与えるこの弾性変形に起因した抵抗感は失せるため、中角度調節部材１２を、図５、図８に示すように、給電台１Ｂに対して中角度に位置決め調節する過程で、ユーザにアシスト力が働いたように感じさせることが可能である。また、節度感を与えることができる。
【００６４】
このように、中角度調節部材１２を外方に出し中角度に位置決めし、図１に示すように、中角度調節部材１２の当接部１２ａ(図１０(ａ)参照)を設置面Ｓに当接させて、給電台１Ｂを設置面Ｓに置く。
そして、図１に示すように、アイロン本体１Ａを設置面Ｓに対して中角度に調節された給電台１Ｂ上に載置すれば、アイロン本体１Ａは、設置面Ｓに対して、２５度の中角度、傾斜した載置角度に載置される。
【００６５】
＜アイロン本体１Ａの載置角度を３０度の高角度に載置する調節法＞
アイロン本体１Ａの載置角度を、図３に示す３０度の高角度に載置する場合には、図６に示すように、給電台１Ｂの収容凹部１４内に収容された高角度調節部材１３を、ユーザが、第２取り出し部１１t2内に手を入れ、図７の矢印γ2のように外方に回動し、図８と同様に、高角度調節部材１３の支持部１３ｂの高角度用切り欠き部１３ｂ3を、給電台１Ｂの収容凹部１４内の位置決め突起１１ｔ1に係止するとともに、高角度調節部材１３の支持部１３ｃの高角度用切り欠き部１３ｃ3を、給電台１Ｂの収容凹部１４内の位置決め突起に係止し、図７に示すように、高角度調節部材１３を下部下ケース１１の壁面１１ｈ3に当接させて、高角度調節部材１３を給電台１Ｂに対して位置決めする。
【００６６】
ここで、図７の矢印γ2のように、高角度調節部材１３を、給電台１Ｂの収容凹部１４内から取り出し、高角度調節部材１３の高角度用切り欠き部１３ｂ3を、位置決め突起１１ｔ1内に係止し位置決めする過程において、高角度調節部材１３の支持部１３ｂの根元外周面１３ｂ0によって下部外ケ−ス１１の位置決め突起１１ｔ1が押圧され、図８の二点鎖線と同様に、位置決め突起１１ｔ1近傍の下部外ケ−ス１１が弾性変形する。同様に、高角度調節部材１３の支持部１３ｃの根元外周面１３ｃ0によって下部外ケ−ス１１の位置決め突起１１ｔ1が押圧され、図８の二点鎖線と同様に、位置決め突起１１ｔ1近傍の下部外ケ−ス１１が弾性変形する。
【００６７】
この下部外ケ−ス１１の弾性変形による弾性力の発生に起因して、ユーザはこの高角度調節部材１３中の操作において若干の抵抗感を感ずる。
そして、高角度調節部材１３が、さらに図７の矢印γ2のように回動し、図８と同様に、下部外ケ−ス１１の位置決め突起１１ｔ1が、高角度調節部材１３の支持部１３ｂの高角度用切り欠き部１３ｂ3に入り係止すると、高角度調節部材１３の支持部１３ｂの根元外周面１３ｂ0によって位置決め突起１１ｔ1近傍の下部外ケ−ス１１が押圧されなくなり、位置決め突起１１ｔ1近傍の下部外ケ−ス１１の弾性変形(図８に示す位置決め突起１１ｔ1近傍の二点鎖線の下部外ケ−ス１１と同様)は復元し、弾性力は消失する。
【００６８】
図８と同様に、高角度調節部材１３の支持部１３ｃの高角度用切り欠き部１３ｃ3内に下部外ケ−ス１１の位置決め突起が入り係止すると、高角度調節部材１３の支持部１３ｃの根元外周面１３ｃ0(図１０(ｂ)参照)によって位置決め突起近傍の下部外ケ−ス１１が押圧されなくなり、位置決め突起近傍の下部外ケ−ス１１の弾性変形(図８に示す位置決め突起１１ｔ1近傍の二点鎖線の下部外ケ−ス１１と同様)は復元し、弾性力は消失する。
そのため、ユーザに与えるこの弾性変形に起因した抵抗感は失せるため、高角度調節部材１３を、図７に示すように、給電台１Ｂに対して高角度に位置決め調節する過程で、ユーザにアシスト力が働いたように感じさせることが可能である。また、節度感を与えることができる。
【００６９】
このように、高角度調節部材１３を外方に出した状態で高角度に位置決めし、図３に示すように、高角度調節部材１３の当接部１３ａ(図１０(ｂ)参照)を、設置面Ｓに当接させて、給電台１Ｂを設置面Ｓに置く。
そして、図３に示すように、アイロン本体１Ａを設置面Ｓに対して高角度に調節された給電台１Ｂ上に載置すれば、アイロン本体１Ａは、設置面Ｓに対して、３０度の高角度、傾斜した載置角度に載置される。
【００７０】
前記構成によれば、コードレスアイロン１における給電台１Ｂに、載置角度が２種類選択できるスタンド脚である高角度調節部材１３および中角度調節部材１２を設け、さらに、２種類のスタンド脚をそれぞれの角度に係止する手段を、給電台１Ｂおよび高角度調節部材１３、中角度調節部材１２に設けている。
そのため、給電台１Ｂ上に載置したアイロン本体１Ａを、高角度調節部材１３を係止した３０度の高載置角度、中角度調節部材１２を係止した２５度の中載置角度、および、高角度調節部材１３、中角度調節部材１２を給電台１Ｂの収容凹部１４内に係止し収容した２０度の低載置角度の３つの角度に選択できる。
【００７１】
従って、ユーザの体格、作業姿勢等に応じて、適宜、３つの角度から最適な角度を選択ことが可能であり、アイロン本体１Ａの給電台１Ｂへの着脱時に腕や肩に負担がかからない。
また、給電台のケース側に位置決め突起を設け、かつ、スタンド脚側に該位置決め突起を収容して係止する切り欠き部を設けるとともに、スタンド脚の角度調節部材１２、１３の支持部の根元外周面を曲率有して形成し、角度調節部材１２、１３の載置角度を調節するための回動運動において、給電台１Ｂのケースを弾性変形させる構成により、角度調節部材１２、１３を収容凹部１４内に収容する際、および、中、高載置角度に調節する際において、ユーザの角度調節操作にアシスト力を与えている。
【００７２】
そのため、角度調節操作が円滑かつ容易に行える。
また、中角度調節部材１２の低角度用切り欠き部および中角度用切り欠き部を、低角度と中角度の各角度に調節した際、給電台１Ｂに対して同じ位置になるように設けているため、低角度用切り欠き部および中角度用切り欠き部に係止する給電台１Ｂの位置決め突起は一つ設ければよく、簡素な構成である。
同様に、高角度調節部材１３の低角度用切り欠き部および高角度用切り欠き部を、低角度と高角度の各角度に調節した際、給電台１Ｂに対して同じ位置になるように設けているため、給電台１Ｂの位置決め突起は一つ設ければよく、簡素な構成である。
【００７３】
さらに、給電台１Ｂの中角度調節部材１２の低角度用切り欠き部および中角度用切り欠き部に係止する位置決め突起と、高角度調節部材１３の低角度用切り欠き部および高角度用切り欠き部に係止する位置決め突起との位置を、角度調節部材１２、１３の回動方向に対して垂直に揃え給電台１Ｂの幅方向(図８、図９の紙面に垂直方向)に延在するので、同一の位置決め突起として形成でき、さらに簡素な構成が可能である。
なお、前記実施例においては、給電台の裏面側に、第１角度調節部材１２、第２角度調節部材１３と２本のスタンド脚を設ける場合を例示して説明したが、スタンド脚の数は任意の数を適宜、選択して設けることができることは言うまでもない。
【００７４】
また、前記実施例においては、２種類のスタンド脚の第１角度調節部材１２、第２角度調節部材１３で２段階の載置角度を選択できる構成を例示したが、１種類のスタンド脚で多段の載置角度を選択できるように構成してもよい。
また、前記実施例においては、２種類のスタンド脚の第１角度調節部材１２、第２角度調節部材１３の係止手段として、給電台のケース側に位置決め突起を設け、スタンド脚側に該位置決め突起を係止する切り欠き部を設ける場合を例示したが、スタンド脚側に位置決め突起を設け、給電台のケース側に該位置決め突起を収容して係止する切り欠き部を設けてもよい。
【図面の簡単な説明】
【００７５】
【図１】本発明を適用した実施形態のコードレスアイロンを示した図であり、アイロン本体を２５度の中角度に調節した給電台の上に載置し給電している状態を左側方から見た斜視図である。
【図２】設置面に対して２０度の低角度に調節した給電台の上にアイロン本体を載置し給電しているコードレスアイロンを左側方から見た斜視図である。
【図３】設置面に対して３０度の高角度に調節した給電台の上にアイロン本体を載置し給電しているコードレスアイロンを左側方から見た斜視図である。
【図４】２５度の中角度に調節した給電台を左上方から見た斜視図である。
【図５】２５度の中角度に調節した給電台を下面側から見た斜視図である。
【図６】中角度調節部材および高角度調節部材を給電台の下部外ケ−ス内に収容した状態を給電台の下面側から見た斜視図である。
【図７】高角度の３０度になるように高角度調節部材で調節した場合の給電台を下面側から見た斜視図である。
【図８】図５のＡ−Ａ線断面図であり、給電台を２５度の中角度に中角度調節部材で調節した場合の中角度調節部材と給電台との関係を示した図である。
【図９】図６のＢ−Ｂ線断面図であり、中角度調節部材および高角度調節部材を給電台の収容凹部内に収容し、給電台を２０度の低角度に調節した場合の中角度調節部材および高角度調節部材と給電台との関係を示した図。
【図１０】(ａ)は中角度調節部材の斜視図であり、 (ｂ)は高角度調節部材の斜視図である。
【図１１】従来の特許文献１のコードレスアイロンを示す一部切り欠き右側面図である。
【図１２】従来の特許文献２のコードレスアイロンを右側方から見た斜視図である。
【図１３】(ａ)は、アイロンがけ作業において筋電図を測定した腕の筋肉の測定部位を示した図であり、(ｂ)は、(ａ)で表した各筋の名称と働きを示した図である。
【符号の説明】
【００７６】
１…コードレスアイロン、
１Ａ…アイロン本体、
１Ｂ…給電台、
２ａ…かけ面、
１１ａ…下面(給電台の下面)、
１１ｔ1…位置決め突起(係止部、突起部)、
１２…中角度調節部材(角度調節部材)、
１２ｂ2…低角度用切り欠き部(係止部、切り欠き部、第１切り欠き部)、
１２ｂ3…中角度用切り欠き部(係止部、切り欠き部、第２切り欠き部)、
１２ｃ2…低角度用切り欠き部(係止部、切り欠き部、第１切り欠き部)、
１２ｃ3…中角度用切り欠き部(係止部、切り欠き部、第２切り欠き部)、
１３…高角度調節部材(角度調節部材)、
１３ｂ2…低角度用切り欠き部(係止部、切り欠き部、第１切り欠き部)、
１３ｃ2…低角度用切り欠き部(係止部、切り欠き部、第１切り欠き部)、
１３ｂ3…高角度用切り欠き部(係止部、切り欠き部、第２切り欠き部)、
１３ｃ3…高角度用切り欠き部(係止部、切り欠き部、第２切り欠き部)、
Ｓ…設置面
【図１】
0005123599.tif 000002
【図２】
0005123599.tif 000003
【図３】
0005123599.tif 000004
【図４】
0005123599.tif 000005
【図５】
0005123599.tif 000006
【図６】
0005123599.tif 000007
【図７】
0005123599.tif 000008
【図８】
0005123599.tif 000009
【図９】
0005123599.tif 000010
【図１０】
0005123599.tif 000011
【図１１】
0005123599.tif 000012
【図１２】
0005123599.tif 000013
【図１３】
0005123599.tif 000014